(57)【要約】プラスチックシート（７）であって、該プラスチックシート（７）を成型加工して形成され、被収容物（２）を収容するポケット（３）を有するポケット形成部（３２）と、該ポケット形成部（３２）から一体にして延び、折り返し部（８）を経て折り返された補強カバー部（１０）と、該補強カバー部（１０）の端部を前記ポケット形成部（３２）に着脱可能に固定するための固定装置（１３，１４，１５）とを含む、プラスチックシート（７）と、前記ポケット（３）の開口を閉塞し、前記補強カバー部（１０）に覆われたシール域（２９）を有し、前記ポケット形成部（３２）に貼り合わされたフィルム材（９）とを備えた。
2011052422.tif 000002
【特許請求の範囲】
【請求項１】
プラスチックシートであって、
該プラスチックシートを成型加工して形成され、被収容物を収容するポケットを有するポケット形成部と、
該ポケット形成部から一体にして延び、折り返し部を経て折り返された補強カバー部と、
該補強カバー部の端部を前記ポケット形成部に着脱可能に固定するための固定装置と
を含む、プラスチックシートと、
前記ポケットの開口を閉塞し、前記補強カバー部に覆われたシール域を有し、前記ポケット形成部に貼り合わされたフィルム材とを備えたことを特徴とする包装容器。
【請求項２】
前記フィルム材は、アルミ箔又は蝋紙であることを特徴とする請求項１に記載の包装容器。
【請求項３】
前記フィルム材は、プラスチック製であることを特徴とする請求項１に記載の包装容器。
【請求項４】
前記固定装置は、前記補強カバー部の端部を折り曲げて形成され、前記ポケット形成部の外縁に係合する折り曲げ部を含むことを特徴とする請求項１に記載の包装容器。
【請求項５】
前記固定装置は、前記補強カバー部の端部を折り返して形成された断面凸状部と、前記ポケット形成部の外縁を折り返して形成され、前記断面凸状部を受け入れ可能な断面凹状部とを含むことを特徴とする請求項１に記載の包装容器。
【請求項６】
前記固定装置は、前記補強カバー部の端部と前記ポケット形成部の外縁とを接着するための接着剤であることを特徴とする請求項１に記載の包装容器。
【請求項７】
前記補強カバー部は透明であり、
前記フィルム材の前記シール域と前記補強カバー部との間に配置されたシート状の被介装物を更に備えることを特徴とする請求項１に記載の包装容器。
【請求項８】
前記被介装物は、高分子吸収材を含有していることを特徴とする請求項７に記載の包装容器。
【請求項９】
前記ポケットの内側には調湿剤又は脱酸素剤が配されていることを特徴とする請求項１に記載の包装容器。
【請求項１０】
前記ポケットの内側には不活性ガスが充填されていることを特徴とする請求項１に記載の包装容器。
【請求項１１】
前記ポケットの内面に防曇処理が施されていることを特徴とする請求項１に記載の包装容器。
【請求項１２】
前記フィルム材の一部が前記補強カバー部に固定されていることを特徴とする請求項１に記載の包装容器。
【発明の詳細な説明】
【技術分野】
【０００１】
本発明は、プラスチックシートが加工されて形成されたポケット内に被収容物が収容され、ポケットの開口面の全体が覆われている包装容器に関するものである。
【背景技術】
【０００２】
ＰＴＰ（Ｐｒｅｓｓ  Ｔｈｒｏｕｔｈ  Ｐａｃｋａｇｅ）包装は、プラスチックシートで成形された凹部（ポケット）に錠剤等の被収容物が入れられた状態で、アルミ箔等の破れやすいフィルム材でポケットの開口面の全体を覆い、プラスチックシートに接着したものである。使用者は、フィルム材がプラスチックシートに接着された側とは反対側からポケットを指で押すことによって、フィルム材を破って被収容物を取り出す。プラスチックシートとしては、ＰＶＣ（ポリ塩化ビニル）、ＰＰ（ポリプロピレン）、Ａ−ＰＥＴ（非晶質ポリエチレンテレフタレート）等が多く使われている。破れやすいフィルム材としては、アルミ箔、防湿紙、蝋紙等が多く使われている。このＰＴＰ包装は、薬剤等の錠剤やカプセル等の被収容物を収容するものとして多く使用されている。被収容物を容易に取り出すことができるからである。しかしながら、その反面、保管時にフィルム材が破れやすいという欠点がある。【０００３】
そこで、特許文献１に開示されているように、フィルム材を破れにくくするため、複数の材料からなる積層フィルムを利用する方法が考えられる。しかしながら、特許文献１のフィルム材（ＰＴＰ包装蓋材）は、高強度を有するが、開封時に破りにくく、取扱い性が悪い。この欠点を解消したと思われるものが、特許文献２に開示されている。この特許文献２では、フィルム材となるアルミ箔を補強するために、ミシン目入りの紙層を積層し、開封性を向上している。しかしながら、そのために別の素材を使用しているため、部品点数が増加している。【０００４】
一方で、ポイ捨て防止の観点から、ガムや口腔用たばこ製品のパッケージにおいて、使用後の製品をパッケージに再収容して一時保管したいという要望がある。従来のようなフィルム材が圧着されたブリスターパックでは、フィルム材を一度剥がすと、使用済み製品をポケットに再収容できない。これに対して、リシール機構を有するブリスターパックが提案されているが、使用済み品の再収容について考慮したものはなく、実際に使用済み品を再収容することには適していない。また、包装体自体を二つ折りにした一体型ブリスター（ダブルパック、シェルパックとも呼ばれている）も知られている。この一体型ブリスターは、嵌合や接着により包装体の重なり部分を固定するものである。しかし、収容部がフィルム材等で覆われてシールされていないため、保管時の密閉が不十分であり、水分の多い使用済み品では液体が漏れるおそれがある。
【先行技術文献】
【特許文献】
【０００５】
【特許文献１】特開平７−２５７６３８号公報
【特許文献２】国際公開第２００７／１１３８５０号
【特許文献３】米国特許出願公開第２００９／００００９６８号明細書
【発明の概要】
【発明が解決しようとする課題】
【０００６】
本発明は、部品点数を増加させず、保管時に誤ってフィルム材が破れることを防止でき、さらに水分を含んだ使用済み品を水漏れすることなく再収容して保管することができる包装容器を提供することを目的とする。
【課題を解決するための手段】
【０００７】
前記目的を達成するため、本発明では、プラスチックシートであって、該プラスチックシートを成型加工して形成され、被収容物を収容するポケットを有するポケット形成部と、該ポケット形成部から一体にして延び、折り返し部を経て折り返された補強カバー部と、該補強カバー部の端部を前記ポケット形成部に着脱可能に固定するための固定装置と
を含む、プラスチックシートと、前記ポケットの開口を閉塞し、前記補強カバー部に覆われたシール域を有し、前記ポケット形成部に貼り合わされたフィルム材とを備えたことを特徴とする包装容器を提供する。【０００８】
好ましくは、前記フィルム材は、アルミ箔又は蝋紙であることを特徴としている。
また、好ましくは、前記フィルム材は、プラスチック製であることを特徴としている。
また、好ましくは、前記固定装置は、前記補強カバー部の端部を折り曲げて形成され、前記ポケット形成部の外縁に係合する折り曲げ部分を含むことを特徴としている。【０００９】
また、好ましくは、前記固定装置は、前記補強カバー部の端部を折り返して形成された断面凸状部と、前記ポケット形成部の外縁を折り返して形成され、前記断面凸状部を受け入れ可能な断面凹状部とを含むことを特徴としている。
また、好ましくは、前記固定装置は、前記補強カバー部の端部と前記ポケット形成部の外縁とを接着するための接着剤であることを特徴としている。【００１０】
また、好ましくは、前記補強カバー部は透明であり、前記フィルム材の前記シール域と前記補強カバー部との間に配置されたシート状の被介装物を更に備えることを特徴としている。
また、好ましくは、前記被介装物は、高分子吸収材を含有していることを特徴としている。【００１１】
また、好ましくは、前記ポケットの内側には調湿剤又は脱酸素剤が配されていることを特徴としている。
また、好ましくは、前記ポケットの内側には不活性ガスが充填されていることを特徴としている。【００１２】
また、好ましくは、前記ポケットの内面に防曇処理が施されていることを特徴としている。
また、好ましくは、前記フィルム材の一部が前記補強カバー部に固定されていることを特徴としている。
【発明の効果】
【００１３】
本発明によれば、プラスチックシートを折り返して形成された補強カバー部がフィルム材を覆うため、保管時にフィルム材が誤って破れることを確実に防止できる。また、本発明は、補強カバー部の端部をポケット形成部に着脱可能に固定するための固定装置を有するため、補強カバー部はフィルム材を覆ったままの状態で保持される。この補強カバー部は固定装置を介してポケット形成部に着脱可能であるため、補強カバー部をポケット形成部から外して容易にポケット内の被収容物を取り出すことができる。また、フィルム材を覆う補強カバー部はポケット形成部を折り曲げて形成されているので、フィルム材の補強として別部材や別部品は不要である。このため、部品点数を増加させずに確実にフィルム材の破れを防止することができる。【００１４】
また、フィルム材は、アルミ箔又は蝋紙であるため、ポケット内の被収容物を取り出す際に開封しやすい。アルミ箔又は蝋紙は破れやすいが、補強カバー部により覆われているので、保管時に誤って破れることはない。
また、別の例として、フィルム材は、プラスチック製（より詳しくはポケット形成部と同じ材質）であるため、ある程度の剛性を有する。したがって、一度開封されたポケットの開口を再び覆ったときに密着して覆うことができる。このため、水分を多く含む使用済み品をポケットに一時的に保管しても、水漏れが生じることはない。このようなフィルム材でポケットが覆われたものはいわゆるブリスターパックと呼ばれている。なお、再収容するものは使用済み品に限らない。例えば、収容物が薬の錠剤の場合、錠剤を割って半分を子供に与えたときに、残りの半分を一時的に保管することにも利用できる。【００１５】
また、固定装置は、補強カバー部の端部の折り曲げ部分であり、この折り曲げ部分はポケット形成部の外縁に係合される。このため、補強カバー部はポケット形成部に着脱可能に固定される。【００１６】
また、別の例として、固定装置は、補強カバー部の端部が折り返された断面凸状部と、ポケット形成部の外縁を折り返して形成された断面凹状部とを有する。固定装置は、断面凸状部を断面凹状部に圧入する構造であるため、補強カバー部を着脱可能にポケット形成部に固定することができる。
また、さらに別の例として、固定装置は、補強カバー部の端部とポケット形成部の外縁を接着するための接着剤であるため、補強カバー部を着脱可能にプラスチックシートに固定することができる。【００１７】
また、補強カバー部は透明であり、フィルム材と補強カバー部との間にシート状の被介装物が挟まっているため、被介装物を目視により補強カバー部の外側から確認することができる。
また、被介装物は、高分子吸収材を含有しているため、水分を多く含んだ被収容物がポケット内に収容された場合に、高分子吸収材が水分を吸い、水分が外部に漏れることを防止できる。【００１８】
また、ポケットの内側には調湿剤又は脱酸素剤が配されているため、ポケット内の環境を適切に調整することができる。これにより、長期間にわたり安定してポケット内に収容された被収容物を保管することができる。
また、別の例として、ポケットの内側には不活性ガスが充填されているため、長期間にわたり安定してポケット内に収容された被収容物を保管することができる。【００１９】
また、さらに別の例として、ポケットの内面に防曇処理が施されているため、ポケット内面が曇ることが防止される。これにより、被収容物の視認性が妨げられることはなく、被収容物の変色等を確認することができる。
また、フィルム材の一部が補強カバー部に固定されているため、補強カバー部が外側に外されると同時にフィルム材もポケット形成部から離れ、ポケットの開口が露出する。したがって、補強カバー部を外す動作でフィルム材も剥がすことができ、操作が簡便となる。
【図面の簡単な説明】
【００２０】
【図１】本発明に係る包装容器の概略図である。
【図２】本発明に係る包装容器の開封動作を順番に示す概略断面図（図１のＡ−Ａ断面）である。
【図３】本発明に係る包装容器の開封動作を順番に示す概略断面図である。
【図４】本発明に係る包装容器の開封動作を順番に示す概略断面図である。
【図５】本発明に係る包装容器の開封動作を順番に示す概略断面図である。
【図６】連続包装体をブリスターパックに収容したときの概略図である。
【図７】本発明に係る別の包装容器の概略断面図である。
【図８】本発明に係るさらに別の包装容器の概略断面図である。
【図９】本発明に係るさらに別の包装容器の概略断面図である。
【図１０】本発明に係るさらに別の包装容器の概略断面図である。
【図１１】本発明に係るさらに別の包装容器の概略断面図である。
【図１２】本発明に係るさらに別の包装容器の概略断面図である。
【図１３】本発明に係るさらに別の包装容器の概略断面図である。
【図１４】図１３の平面図である。
【図１５】本発明に係るさらに別の包装容器の開封動作を順番に示す概略断面図である。
【図１６】本発明に係るさらに別の包装容器の開封動作を順番に示す概略断面図である。
【図１７】本発明に係るさらに別の包装容器の開封動作を順番に示す概略断面図である。
【図１８】本発明に係るさらに別の包装容器の開封動作を順番に示す概略断面図である。
【図１９】本発明に係るさらに別の包装容器の開封動作を順番に示す概略断面図である。
【図２０】本発明に係るさらに別の包装容器の開封動作を順番に示す概略断面図である。
【図２１】本発明に係るさらに別の包装容器の開封動作を順番に示す概略断面図である。
【図２２】本発明に係るさらに別の包装容器の概略断面図である。
【図２３】本発明に係るさらに別の包装容器の概略斜視図である。
【図２４】本発明に係るさらに別の包装容器の概略断面図である。
【発明を実施するための形態】
【００２１】
図１は本発明に係る包装容器の概略図である。
図示したように、本発明に係る包装容器１は、被収容物２（図２参照）を収容するためのポケット３を備えている。包装容器１の保管性を向上させるために、各包装容器１は連結部４により連続して連結され、連続包装体５を形成している。連結部４にはミシン目６が入れられている。さらに、連結部４は包装容器１より薄く形成されている。これにより、各包装容器１を切り離しやすくしている。
【００２２】
図２〜図５は本発明に係る包装容器の開封動作を順番に示す概略断面図（図１のＡ−Ａ断面）である。
図２に示すように、被収容物２がポケット３内に収容されている。ポケット３はプラスチックシート７を成型加工して凹ませて形成されている。このポケット３が形成されたプラスチックシート７の部分がポケット形成部３２となる。ポケット３の開口は、フィルム材９で覆われている。フィルム材９がポケット３を覆っている部分がシール域２９となる。プラスチックシート７は途中で折り曲げられ、折り返し部８が形成されている。折り返し部８で折り返されたプラスチックシート７は、そのまま延びて補強カバー部１０を形成している。補強カバー部１０は、フィルム材９のシール域２９を覆っている。折り返し部８に対して反対側に位置する補強カバー部１０の端部１２は、固定装置を介してポケット形成部３２の外縁１１に着脱可能に固定されている。この固定装置の一例は、補強カバー部１０の端部１２に折り曲げ部分である。すなわち、補強カバー部１０の端部１２は一端折り曲げられて立ち上げ部１３を形成し、さらに折り曲げられてポケット３方向へ戻る戻り部１４を形成し、さらに折り曲げられて摘み部１５が形成される。補強カバー部１０と戻り部１４でポケット形成部３２の外縁１１を挟むことにより、補強カバー部１０の端部１２がポケット形成部３２の外縁１１に係合するため、着脱可能に固定することができる。
【００２３】
以上説明したように、補強カバー部１０はフィルム材９を覆うため、保管時にフィルム材９が誤って破れることを確実に防止できる。また、プラスチックシート７を折り返した部分である折り返し部８に対して反対側に位置する補強カバー部１０の端部１２が、ポケット形成部３２の外縁１１に固定装置１３，１４，１５を介して着脱可能に固定される。このため、補強カバー部１０はフィルム材９を覆ったままの状態で保持される。これにより、フィルム材９が破れることはない。また、フィルム材９を覆う補強カバー部１０はプラスチックシート７を折り曲げて形成されるので、フィルム材９の補強のための別部材や別部品は不要である。このため、部品点数を増加させずに確実にフィルム材９の破れを防止することができる。
【００２４】
図３に示すように、使用者が摘み部１５を指等に引っ掛けて立ち上げ部１３を外方に開くことにより、補強カバー部１０の端部１２がポケット形成部３２の外縁１１から外される。さらに、使用者がこれを開いて折り返し部８を開くようにすると、図４に示すように、フィルム材９が露出する。そして、図５に示すように、使用者がポケット３を矢印Ｐ方向に押すことにより、フィルム材９が破れて被収容物２を取り出すことができる。このように、補強カバー部１０がポケット形成部３２の外縁１１に着脱可能であるため、補強カバー部１０の端部１２をポケット形成部３２の外縁１１から外して容易にポケット３内の被収容物２を取り出すことができる。特に、フィルム材９をアルミ箔又は蝋紙とすれば、被収容物２を取り出す際に破りやすい。さらに、補強カバー部１０によりフィルム材９が保管時に破れることが確実に防止されるため、好ましい。すなわち、フィルム材９は、アルミ箔又は蝋紙であるため、ポケット３内の被収容物２を取り出す際に開封しやすく、補強カバー部１０により覆われているので、保管時に誤って破れることはない。また、上述したように、補強カバー部１０はプラスチックシート７を折り返してポケット形成部３２と一体化しているので、開封しても分離せず、ゴミとなったときに散らかることはない。また、ポケット３と補強カバー部１０は同材質であるため、材料品コストの増加も抑えることができる。また、補強カバー部１０はプラスチックシート７を折り返すだけで形成されているので、製造が簡単であり、製造装置も複雑なものを用意する必要がない。例えば従来のＰＴＰ包装機に折り返し部８を形成するような織り込み機構を設けるだけでよい。
【００２５】
ポケット３内には、種々の被収容物を収容することができる。例えば医薬品や、食品（ガム等）や、たばこ製品（口腔用たばこ製品、ＳＮＵＳ等）である。プラスチックシート７には抗菌処理がなされている。抗菌剤は、無機系又は有機系抗菌剤である。無機系抗菌剤は銀ゼオライト又はチオサルファイト銀錯体である。有機系抗菌剤はニトリル誘導体、イミダゾール誘導体、トリアジン誘導体、フェノールエーテル誘導体、又はピロール誘導体である。また、ポケット３を透明にしてもよい。これにより、被収容物を容易に目視により確認できる。目視により被収容物を確認できるのであれば、ポケット３にはある程度の着色がされていてもよい。また、包装容器１は個別包装なので、被収容物２の保存性が高く、互いにぶつかり合って損傷することを防止できる。特に被収容物２が高水分ＳＮＵＳの場合、乾燥防止や腐敗防止が期待できる。また、包装容器１は使い捨てなので清潔である。
【００２６】
図６は連続包装体をブリスターパックに収容したときの概略図である。
図示したように、本発明に係る包装容器１を連続して連結した連続包装体５（図１参照）を販売店等に陳列する際は、ブリスターパック１６に収容する。ブリスターパック１６には、吊り下げ部１７が形成されている。
【００２７】
図７は本発明に係る別の包装容器の概略断面図である。
図示したように、補強カバー部１０をポケット形成部３２に着脱可能に固定する固定装置の別の例は、補強カバー部１０の端部１２を折り返して形成された断面凸状部１８と、ポケット形成部３２の外縁１１を折り返して形成された断面凹状部１９とを有している。断面凹状部１９の凹部には、断面凸状部１８の凸部分を圧入可能である。これにより、補強カバー部１０の端部１２はポケット形成部３２の外縁１１に着脱可能に固定される。その他の構造、効果は図２の例と同様である。
【００２８】
図８は本発明に係るさらに別の包装容器の概略断面図である。
図示したように、補強カバー部１０をポケット形成部３２に着脱可能に固定するための固定装置のさらに別の例は、補強カバー部１０の端部１２とポケット形成部３２の外縁１１を接着するための接着剤２０である。これにより、補強カバー部１０の端部１２はポケット形成部３２の外縁１１に着脱可能に固定される。接着剤２０は、再接着性があるとさらに好ましい。接着剤２０は、糊やテープを用いてもよいし、あるいは面ファスナーを用いてもよい。その他の構造、効果は図２の例と同様である。
【００２９】
図９は本発明に係るさらに別の包装容器の概略断面図である。
図示したように、補強カバー部１０をポケット形成部３２に着脱可能に固定するための固定装置のさらに別の例は、補強カバー部１０の端部１２とプラスチックシート７の外縁１１を挟持するクリップ２１である。クリップ２１を着脱することにより、補強カバー部１０の端部１２はポケット形成部３２の外縁１１に着脱可能に固定される。その他の構造、効果は図２の例と同様である。
【００３０】
図１０は本発明に係るさらに別の包装容器の概略断面図である。
図示したように、ポケット３の内側に、調湿剤又は脱酸素剤２２が配されている。調湿剤を用いた場合は被収容物２の水分を一定に保つことができる。脱酸素剤を用いた場合は被収容物２が酸化されることを防止できる。これにより、ポケット３内の環境を適切に調整することができる。したがって、長期間にわたり安定してポケット３内に収容された被収容物２を保管することができる。ポケット３内には、調湿剤と脱酸素剤はいずれか一方が配されていてもよいし、両方が配されていてもよい。また、調湿剤又は脱酸素剤とともに、あるいはこれに代えて、香料担持体が配されていてもよい。香料担持体は、香りを発する香料を有しているものである。これをポケット３内に配せば、フィルム材９の開封時に、利用者が香りを楽しむことができる。また、被収容物２に香りをつけることができる。
【００３１】
あるいは、ポケット３の内側に不活性ガスが充填されていてもよい。このように、ポケット３の内側に不活性ガスが充填されることで、被収容物２の反応性を弱めて長期間にわたり安定してポケット内に収容された被収容物を保管することができる。その他の構造、効果は図２の例と同様である。
【００３２】
図１１は本発明に係るさらに別の包装容器の概略断面図である。
図示したように、ポケット２の内側に、防曇処理が施された防曇処理部２３が形成されている。防曇処理は、界面活性剤の塗付や練込によって行われるか、又は防曇性フィルムを貼ることで行われる。この防曇効果は、非イオン系活性剤（グリセリン脂肪酸エステル、ソルビタン脂肪酸エステル等）の働きによるものである。このように、ポケット３の内面に防曇処理が施されているため、ポケット３の内面が曇ることが防止される。これにより、被収容物２の視認性が妨げられることはなく、被収容物２の変色や腐敗を招くことはない。特に、被収容物２が高水分ＳＮＵＳである場合であっても、曇らない。その他の構造、効果は図２の例と同様である。
【００３３】
図１２は本発明に係るさらに別の包装容器の概略断面図である。
図示したように、フィルム材９と補強カバー部１０との間にシート状の被介装物２４が挟まっている。この被介装物２４は、例えばポリアクリル酸塩等の高分子吸収材を含有している。この高分子吸収材が水分を吸うため、水分を多く含んだ被収容物２がポケット３内に収容された場合に、水分が外部に漏れることを防止できる。例えば、被収容物２がＳＮＵＳである場合、ポケット３は使用済みＳＮＵＳを一時的に保管する場所として利用できる。このとき、補強カバー部１０の端部１２をポケット形成部３２の外縁１１に固定した状態で使用済みＳＮＵＳは保管される。しかし、フィルム材９はすでに破られている状態であるため、使用済みＳＮＵＳに含まれる唾液が外部に漏れる可能性がある。この唾液を高分子吸収材で吸うことにより、唾液が外部に漏れることを防止できる。被介装物２４の位置決めを確実なものとするため、被介装物２４は補強カバー部１０に接着されていることが好ましい。
【００３４】
一方で、被介装物２４を、能書き書やクーポン券、あるいは取扱説明書、捨て紙、くじやクッション材等として利用してもよい。被介装物２４には、被収容物２の製造日や賞味期限、あるいは注意文言等の情報が印字されていてもよい。被介装物２４が捨て紙であれば、被収容物２がガムの場合に便利である。このとき、補強カバー部１０が透明であれば、被介装物２４を視認でき、内容を外側から確認することができる。その他の構造、効果は図２の例と同様である。
【００３５】
図１３は本発明に係るさらに別の包装容器の概略断面図である。また、図１４は図１３の平面図である。
図示したように、図２で示した立ち上げ部１３、戻り部１４、摘み部１５からなる固定装置を折り返し部８以外の全周にわたって形成してもよい。このように全周を略密閉するように固定装置で囲うことにより、例えば使用済みのＳＮＵＳを一時保管する際に、唾液の漏れを確実に防止することができる。全周を密閉する構造は、これに限らず、ポケット形成部３２と補強カバー部１０をシールすることで実現してもよい。その他の構造、効果は図２の例と同様である。
【００３６】
図１５〜図１８は本発明に係るさらに別の包装容器の開封動作を順番に示す概略断面図である。
図１５に示すように、補強カバー部１０の端部１２には立ち上げ部２５が形成され、同様の形状を有する立ち上げ部２６が折り返し部８の内側に形成されている。ポケット形成部３２の外縁１１には内側に折り曲げられた折り曲げ部２８が形成され、同様の形状を有する折り曲げ部２７が折り返し部８の内側に形成されている。立ち上げ部２５，２６は、内側に付勢するように配されている。したがって、補強カバー部１０は、立ち上げ部２５，２６で折り曲げ部２７，２８を内側に挟持することで固定されている。
【００３７】
使用者がフィルム材９を開封して被収容物２を取り出すときは、図１６に示すように、立ち上げ部２５を開いて折り返し部８を開き、ポケット３を押すことによりフィルム材９を破る。被収容物がガムやＳＮＵＳの場合、以下に説明するように、使用済みのものを一時的にポケット３に保管できる。この場合は、図１７に示すように、ポケット３に使用済みの被収容物２を収容する。そして、図１８に示すように、再び立ち上げ部２５，２６で折り曲げ部２７，２８を挟持して、補強カバー部１０をポケット形成部３２に固定する。
なお、上記で示した例の特徴は組み合わせてもよい。
【００３８】
一方、上記ではフィルム材９として主にアルミ箔等を用いた場合について説明したが、図１２〜図１８で説明したような水分を含んだ使用済み品の水漏れを防止する観点から、フィルム材を以下の例で掲げるもので形成してもよい。
【００３９】
図１９〜図２１は本発明に係るさらに別の包装容器の開封動作を順番に示す概略断面図である。
図１９に示すように、この例では、フィルム材９は、フィルム材９を折り返した折り返し部３０を有している。この折り返し部３０側のフィルム材は、ポケット形成部３２の外縁１１に接着されてない。代わりに、折り返し部３０の折り返し短辺３１が補強カバー部１０の内面に接着されている。接着の代わりに、嵌め込んで接続してもよい。ポケット３の密封性は、補強カバー部１０が折り返し部３０をポケット形成部３２の外縁１１に押圧されていることで保たれている。したがって、フィルム材９はある程度の剛性を持ったプラスチック製であることが好ましい。そして、図２０に示すように、摘み部１５を開く。この動作は、図３の例と同様である。そして、図２１に示すように、補強カバー部１０を開くと、折り返し短辺３１が補強カバー部１０の内面に接着されているため、フィルム材９もこれに伴ってポケット３から離れる。これにより、被収容物２が露出するので、簡単に被収容物２をポケット３から取り出すことができる。フィルム材９が補強カバー部１０と同時に開くのであれば、フィルム材９をポケット形成部３２の外縁１１に接着してもよい。また、開きやすいように、開く際の力点となる補強カバー部１０の部分とフィルム材９の部分とを接着することが好ましい。
【００４０】
さらに、被収容物２がガムやＳＮＵＳの場合、再収容することができる。このときは、上記図１９〜図２１と逆の順番で操作する。すなわち、使用済み品をポケット３内に収容し、補強カバー部１０を閉じる。このとき、プラスチック製のフィルム材９が確実にポケット３の開口を密着して覆うので、使用済み品が含む水分が外部に漏れることはない。そして、このプラスチック製のフィルム材９は、摘み部１５を再び嵌めて戻すことにより、確実にポケット３を密閉するように押圧されるので、一時的に使用済み品を収容して携帯しても水分が漏れることを確実に防止できる。
【００４１】
図２２は本発明に係るさらに別の包装容器の概略断面図である。
図示したように、被収容物２を収容するポケット３を縦長に形成してもよい。このようにポケット３を縦長にすれば、フィルム材９によるシール域２９を狭小にできるので、フィルム材９の材料コストを低減できる。さらに、補強カバー部１０の表面積も狭小にできる。なお、このような縦長のポケット３の場合、被収容物２を取り出す際は矢印Ｓ方向に示すように両側から押しだす。
【００４２】
図２３は本発明に係るさらに別の包装容器の概略斜視図である。
図示したように、補強カバー部１０を横断するミシン目３３が形成され、このミシン目３３を境に補強カバー部１０は開閉領域１０ａと閉塞領域１０ｂに分けられる。開閉領域１０ａに対応するポケット３の開口面積は、被収容物を取り出し可能な大きさとする。すなわち、被収容物を取り出す際は、開閉領域１０ａのみを矢印Ｒ方向に開けばよい。このように補強カバー部１０を開閉領域１０ａと閉塞領域１０ｂに分けることで、例えば使用済みＳＮＵＳを一時保管する場合に、閉塞領域１０ｂでの密閉性が高いので、水分が漏れることを防止できる。なお、閉塞領域１０ｂに関してはさらに力を加えると開くようにしてもよい。この場合、ミシン目３３を境として２段階に分けてポケット３を開放させることができる。
【００４３】
図２４は本発明に係るさらに別の包装容器の概略断面図である。
図示したように、ポケット形成部３２と補強カバー部１０が接する部位に、突起３４とこの突起３４を受け入れ可能な溝３５を形成してもよい。このように突起３４と溝３５を形成することで、例えば使用済みＳＮＵＳを一時保管した際に、密閉性を高めることができ、水分が漏れることを防止できる。なお、図では突起３４を補強カバー部１０に、溝３５をポケット形成部３２に形成した例を示したが、これが逆に形成されていてもよい。また、突起３４と溝３５はポケット３の全周にわたって形成してもよいし、一部に形成してもよい。
【符号の説明】
【００４４】
１  包装容器
２  被収容物
３  ポケット
４  連結部
５  連続包装体
６  ミシン目
７  プラスチックシート
８  折り返し部
９  フィルム材
１０  補強カバー部
１１  外縁
１２  補強カバー部の端部
１３  立ち上げ部
１４  戻り部
１５  摘み部
１６  ブリスターパック
１７  吊り下げ部
１８  断面凸状部
１９  断面凹状部
２０  接着剤
２１  クリップ
２２  調湿剤又は脱酸素剤
２３  防曇処理部
２４  被介装物
２５  立ち上げ部
２６  立ち上げ部
２７  折り曲げ部
２８  折り曲げ部
２９  シール域
３０  折り返し部
３１  折り返し短辺
３２  ポケット形成部
３３  ミシン目
３４  突起
３５  溝
【図１】
2011052422.tif 000003
【図２】
2011052422.tif 000004
【図３】
2011052422.tif 000005
【図４】
2011052422.tif 000006
【図５】
2011052422.tif 000007
【図６】
2011052422.tif 000008
【図７】
2011052422.tif 000009
【図８】
2011052422.tif 000010
【図９】
2011052422.tif 000011
【図１０】
2011052422.tif 000012
【図１１】
2011052422.tif 000013
【図１２】
2011052422.tif 000014
【図１３】
2011052422.tif 000015
【図１４】
2011052422.tif 000016
【図１５】
2011052422.tif 000017
【図１６】
2011052422.tif 000018
【図１７】
2011052422.tif 000019
【図１８】
2011052422.tif 000020
【図１９】
2011052422.tif 000021
【図２０】
2011052422.tif 000022
【図２１】
2011052422.tif 000023
【図２２】
2011052422.tif 000024
【図２３】
2011052422.tif 000025
【図２４】
2011052422.tif 000026
【国際調査報告】
2011052422.tif 000027
2011052422.tif 000028
2011052422.tif 000029
2011052422.tif 000030